(57)【要約】【課題】電子機器の稼働状況を示す発光部を監視するための光伝送路の脱落を検出することを課題とする。【解決手段】光伝送路脱落判定方法は、電子機器の稼働状況に応じて点灯状態を変化させ、第１の光伝送路を通じて発光状態が伝送される発光部に対し、点灯状態を変化させることができる確認光を照射する照射工程と、少なくとも前記確認光の点灯状態の変化の前後において前記第１の光伝送路を通過した光を撮影する撮影工程と、前記確認光の点灯状態の変化前に撮影された画像における前記光の色度と、前記確認光の点灯状態の変化後に撮影された画像における前記光の色度とを比較する比較工程と、前記比較工程における比較結果に基づいて、前記第１の光伝送路の脱落の有無を判定する判定工程と、を含む。【選択図】図４
2017207404.tif 000002
【特許請求の範囲】
【請求項１】
電子機器の稼働状況に応じて点灯状態を変化させ、第１の光伝送路を通じて発光状態が伝送される発光部に対し、点灯状態を変化させることができる確認光を照射する照射工程と、
少なくとも前記確認光の点灯状態の変化の前後において前記第１の光伝送路を通過した光を撮影する撮影工程と、
前記確認光の点灯状態の変化前に撮影された画像における前記光の色度と、前記確認光の点灯状態の変化後に撮影された画像における前記光の色度とを比較する比較工程と、
前記比較工程における比較結果に基づいて、前記第１の光伝送路の脱落の有無を判定する判定工程と、
を含む光伝送路脱落判定方法。
【請求項２】
前記撮影工程において、前記確認光の点灯状態の変化の前後において、それぞれ複数枚の画像を撮影し、
前記比較工程において、前記確認光の点灯状態の変化前に撮影された画像の中で最も輝度が高い画像と、前記確認光の点灯状態の変化後に撮影された画像の中で最も輝度が高い画像とを抽出し、色度を比較する請求項１に記載の光伝送路脱落判定方法。
【請求項３】
前記最も輝度が高い画像の抽出において、前記画像における最も輝度が高いピクセルの輝度を比較して最も輝度が高い画像を抽出する請求項２に記載の光伝送路脱落判定方法。
【請求項４】
照射工程において、前記確認光を異なるタイミングで少なくとも異なる２色に発光させて、色毎に前記比較工程及び判定工程を実行する請求項１乃至３のいずれか一項に記載の光伝送路脱落判定方法。
【請求項５】
前記照射工程において、前記確認光を第２の光伝送路を通じて前記発光部に照射する請求項１乃至４のいずれか一項に記載の光伝送路脱落判定方法。
【請求項６】
一端部を電子機器の稼働状況に応じて点灯状態を変化させる発光部に対向させて配置されている第１の光伝送路と、
前記第１の光伝送路の他端部に対向させて配置されている撮影カメラと、
点灯状態を変化させることができる確認光を照射する照明と、
前記確認光を前記発光部に照射する第２の光伝送路と、
前記確認光の発光状態を変化させると共に、前記撮影カメラに、少なくとも前記確認光の点灯状態の変化の前後において前記第１の光伝送路を通過した光を撮影させ、前記確認光の点灯状態の変化前に撮影された画像における前記光の色度と、前記確認光の点灯状態の変化後に撮影された画像における前記光の色度とを比較した比較結果に基づいて、前記第１の光伝送路の脱落の有無を判定する制御部と、
を含む光伝送路脱落判定装置。
【発明の詳細な説明】
【技術分野】
【０００１】
本発明は、光伝送路脱落判定方法及び光伝送路脱落判定装置に関する。
【背景技術】
【０００２】
従来、例えば、ＬＥＤ（Light Emitting Diode）等による発光部の点灯状態によって電子機器の稼働状態を示すことが行われており、複数の装置の稼働状況を認識できるようにする提案もされている（例えば、特許文献１参照）。さらに、光通信を行うための光送受信部にケーブルが接続されているかどうかを判別する提案もされている（例えば、特許文献２参照）。
【先行技術文献】
【特許文献】
【０００３】
【特許文献１】特開平７−７５１７７号公報
【特許文献２】特開平６−２４４８０４号公報
【発明の概要】
【発明が解決しようとする課題】
【０００４】
ところで、例えば、データセンター等のように、多数のサーバやストレージ等の電子機器が設置されている場合、ユーザと合意の上、自動的に各電子機器の稼働状態を把握することができる監視ソフトを用いることがある。しかしながら、種々の理由により、監視ソフトの導入が拒まれたり、電子機器自体が監視ソフトの導入に適さなかったりする場合がある。このような場合、各電子装置の稼働状況が正常であるのか異常であるのかを判断するためには、稼働状況を示す発光部を人手により目視する必要がある。ここで、例えば、特許文献１や特許文献２を応用し、発光部の状態を監視する光伝送路を適用することで、このような労力を低減することができる。しかしながら、発光部を監視するための光伝送路が脱落していると、発光部の状態を適切に判断することができない。
【０００５】
１つの側面では、本明細書開示の光伝送路脱落判定方法及び光伝送路脱落判定装置は、電子機器の稼働状況を示す発光部を監視するための光伝送路の脱落を検出することを課題とする。
【課題を解決するための手段】
【０００６】
本明細書開示の光伝送路脱落判定方法は、電子機器の稼働状況に応じて点灯状態を変化させ、第１の光伝送路を通じて発光状態が伝送される発光部に対し、点灯状態を変化させることができる確認光を照射する照射工程と、少なくとも前記確認光の点灯状態の変化の前後において前記第１の光伝送路を通過した光を撮影する撮影工程と、前記確認光の点灯状態の変化前に撮影された画像における前記光の色度と、前記確認光の点灯状態の変化後に撮影された画像における前記光の色度とを比較する比較工程と、前記比較工程における比較結果に基づいて、前記第１の光伝送路の脱落の有無を判定する判定工程と、を含む。
【０００７】
本明細書開示の光伝送路脱落判定装置は、一端部を電子機器の稼働状況に応じて点灯状態を変化させる発光部に対向させて配置されている第１の光伝送路と、前記第１の光伝送路の他端部に対向させて配置されている撮影カメラと、点灯状態を変化させることができる確認光を照射する照明と、前記確認光を前記発光部に照射する第２の光伝送路と、前記確認光の発光状態を変化させると共に、前記撮影カメラに、少なくとも前記確認光の点灯状態の変化の前後において前記第１の光伝送路を通過した光を撮影させ、前記確認光の点灯状態の変化前に撮影された画像における前記光の色度と、前記確認光の点灯状態の変化後に撮影された画像における前記光の色度とを比較した比較結果に基づいて、前記第１の光伝送路の脱落の有無を判定する制御部と、を含む。
【発明の効果】
【０００８】
本明細書開示の伝送路脱落判定方法及び光伝送路脱落判定装置によれば、電子機器の稼働状況を示す発光部を監視するための光伝送路の脱落を検出することができる。
【図面の簡単な説明】
【０００９】
【図１】図１は実施形態の光伝送路脱落判定装置の設置状況を模式的に示す説明図である。
【図２】図２は実施形態の光伝送路脱落判定装置が設置されるラックの概略構成を示す説明図である。
【図３】図３は実施形態の光伝送路脱落判定装置が備える光ファイバ集合部を模式的に示す説明図であり、図３（Ａ）は斜視図であり、図３（Ｂ）は平面図である。
【図４】図４は発光部となるＬＥＤに第１光ファイバ及び第２光ファイバを装着する様子を模式的に示す説明図である。
【図５】図５（Ａ）は第１光ファイバ及び第２光ファイバを集合させる集光部の平面図であり、図５（Ｂ）は、集光部の断面図である。
【図６】図６は光伝送路脱落判定の一例を示すフローチャートである。
【図７】図７は点灯パターンの一例に沿って確認光の点灯制御を行うフローチャートの一例である。
【図８】図８は実施例の脱落判定処理の制御の一部を示すフローチャートである。
【図９】図９は実施例の脱落判定処理の制御の一部を示すフローチャートである。
【図１０】図１０は確認光の点灯パターンの一例を示す説明図である。
【図１１】図１１は撮影工程で撮影された画像を模式的に示す説明図である。
【図１２】図１２（Ａ）〜図１２（Ｄ）は脱落判定処理で抽出され、用いられる画像の選択について示す説明図である。
【図１３】図１３は色度図の一例である。
【図１４】図１４（Ａ）〜図１４（Ｄ）は実施形態における色度の変化を示す説明図である。
【図１５】図１５（Ａ）、図１５（Ｂ）は実施形態における色度の変化を示す説明図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１１】
（実施形態）
まず、図１乃至図５（Ｂ）を参照しつつ、実施形態の光伝送路脱落判定装置１００の概略構成について説明する。図１は実施形態の光伝送路脱落判定装置の設置状況を模式的に示す説明図である。図２は実施形態の光伝送路脱落判定装置が設置されるラックの概略構成を示す説明図である。図３は実施形態の光伝送路脱落判定装置が備える光ファイバ集合部を模式的に示す説明図であり、図３（Ａ）は斜視図であり、図３（Ｂ）は平面図である。図４は発光部となるＬＥＤに第１光ファイバ及び第２光ファイバを装着する様子を模式的に示す説明図である。図５（Ａ）は第１光ファイバ及び第２光ファイバを集合させる集光部の平面図であり、図５（Ｂ）は、集光部の断面図である。なお、以下の説明において、光伝送路脱落判定装置１００は、判定装置１００という。
【００１２】
図１を参照すると、判定装置１００は、複数のラック１ａ〜１ｄが配置されたデータセンター内に設置されて稼働している。ラック１ａ〜１ｄには、それぞれ複数台のサーバ２が搭載されている。それぞれのサーバ２は、その稼働状況が監視される監視対象装置の一例である。監視対象装置は、ストレージ等の他の機器であってもよい。判定装置１００は、それぞれのサーバ２の稼働状況を監視すると共に、サーバ２の監視に用いる第１光ファイバ５が脱落していないかを判定する。第１光ファイバ５は、それぞれ第１の光伝送路を形成する。なお、後に詳述するように、第１光ファイバ５の脱落を判定するために、それぞれ第２の光伝送路を形成する第２光ファイバ１３を用いるが、説明の都合上、図１では、第２光ファイバ１３は省略されている。
【００１３】
図２を参照すると、それぞれのサーバ２の前面パネル２ａには、稼働状況表示部２ａ１が設けられている。稼働状況表示部２ａ１には、それぞれ発光部となるＬＥＤ  Ｌ１〜Ｌ５が設けられている。ＬＥＤ  Ｌ１〜Ｌ５は、各サーバ２の作動状況に応じて点灯状態を変化させる。すなわち、ＬＥＤ  Ｌ１〜Ｌ５は、それぞれ、サーバ２の稼働状況を示す情報を表示し、例えば、電源のオン／オフや、エラー発生の有無等をその点灯状態によって表示する。判定装置１００は、図１に示すように、第１光ファイバ５を通じて、各ＬＥＤ  Ｌ１〜Ｌ５の点灯状態を監視し、この監視結果に基づいて、サーバ２の稼働状況を把握する。なお、図２では、第１光ファイバ５及び第２光ファイバ１３は省略されている。
【００１４】
図１を参照すると、判定装置１００は、ラック１ａ〜１ｄ毎に光ファイバ集合部６を備える。光ファイバ集合部６は、筐体の前面パネル６ａに第１光ファイバ保持部６ａ１と第２光ファイバ保持部６ａ２を備える。
【００１５】
第１光ファイバ保持部６ａ１には、第１光ファイバ５が装着される。第１光ファイバ５は、ＬＥＤ  Ｌ１〜Ｌ５毎に設けられている。図４に示すように、第１光ファイバ５の一端部５ａは、ＬＥＤ  Ｌ１〜Ｌ５のいずれかに対向させてサーバ２の前面パネル２ａに取り付けられており、第１光ファイバ５の他端部５ｂは、第１光ファイバ保持部６ａ１に取り付けられている。例えば、図２に示すラック１ａのように、５台のサーバ２が搭載されており、各サーバ２に５個のＬＥＤ  Ｌ１〜Ｌ５が設けられている場合には、５本の第１光ファイバ５が装着されることになる。このため、第１光ファイバ保持部６ａ１には、第１光ファイバ５の他端部５ｂを保持するための２５個の保持孔が設けられている。第１光ファイバ５の他端部５ｂは、それぞれＬＥＤ  Ｌ１〜Ｌ５に対向させて配置される。この際、各第１光ファイバ５の他端部５ｂは、それぞれ集光部４に支持される。集光部４については、後に詳説する。
【００１６】
第２光ファイバ保持部６ａ２には、第２光ファイバ１３が装着される。第２光ファイバ１３は、ＬＥＤ  Ｌ１〜Ｌ５毎に設けられている。図４に示すように、第２光ファイバ１３の一端部１３ａは、ＬＥＤ  Ｌ１〜Ｌ５のいずれかを照射するようにサーバ２の前面パネル２ａに取り付けられており、第２光ファイバ１３の他端部１３ｂは、第２光ファイバ保持部６ａ２に取り付けられている。例えば、図２に示すラック１ａのように、５台のサーバ２が搭載されており、各サーバ２に５個のＬＥＤ  Ｌ１〜Ｌ５が設けられている場合には、５本の第２光ファイバ１３が装着されることになる。このため、第２光ファイバ保持部６ａ２には、第２光ファイバ１３の他端部１３ｂを保持するための２５個の保持孔が設けられている。第２光ファイバ１３の他端部１３ｂは、それぞれＬＥＤ  Ｌ１〜Ｌ５の発光面３を照射するように配置されている。この際、各第２光ファイバ１３の他端部１３ｂは、それぞれ集光部４に支持される。
【００１７】
図３を参照すると、光ファイバ集合部６内は、隔壁６ｂによって第１の空間６１と第２の空間６２とに分割されている。第１光ファイバ保持部６ａ１は、第１の空間６１側に設けられており、第２光ファイバ保持部６ａ２は、第２の空間６２側に設けられている。第１の空間６１内には、第１光ファイバ保持部６ａ１に対向させて撮影カメラ７が設置されている。また、第２の空間６２内には、第２光ファイバ保持部６ａ２に対向させて確認光を照射する照明１２が設置されている。
【００１８】
ここで、照明１２は、第１光ファイバ５の脱落を判定するために用いる確認光を照射するものであり、点灯状態を変化させることができる。ここで、点灯状態には、少なくとも、確認光を照射する点灯状態と、確認光の照射を停止する消灯状態を含む。また、本実施形態の照明１２は、少なくとも２色に発光することができる。具体的に、本実施形態の照明１２は、橙色に発光することができると共に、紫色に発光することができる。発光色は、これらの色相に限定されないが、本実施例では、サーバ２の稼働状況を表示するＬＥＤ  Ｌ１〜Ｌ５の色相として採用されることが少ない色相が選定されている。すなわち、ＬＥＤ  Ｌ１〜Ｌ５の色味は、赤、青、緑が採用されることが多いため、これらの色相と異なる橙色及び紫色が採用されている。本実施形態では、これらの条件を満たすために照明１２として２色ＬＥＤを採用しているが、これらの条件を満たすことができれば、他の照明を採用してもよい。例えば、蛍光灯と色フィルムとの組み合わせとしてもよい。
【００１９】
照明１２が点灯することにより発光する確認光は、第２光ファイバ１３を通じて各ＬＥＤ  Ｌ１〜Ｌ５の発光面３に照射される。照射された確認光は、発光面３で反射し、第１光ファイバ５を通じて撮影カメラ７によって撮影される。撮影された画像内の確認光の様子は、自身の点灯状態やＬＥＤ  Ｌ１〜Ｌ５の点灯状態、第１光ファイバ５の脱落の有無によって異なる。本実施形態の判定装置１００は、このように確認光が撮影された画像を用いて第１光ファイバ５の脱落の有無を判定する。
【００２０】
なお、隔壁６ｂによって光ファイバ集合部６内を第１の空間６１と第２の空間６２とに分割しているのは、撮影カメラ７による撮影に、照明１２の点灯や消灯等の影響が及ばないようにするためである。
【００２１】
つぎに、図４、図５（Ａ）及び図５（Ｂ）を参照しつつ、第１光ファイバ５と第２光ファイバ１３のサーバ２側への取り付けについて説明する。図４を参照すると、第１光ファイバ５の一端部５ａと第２光ファイバ１３の一端部１３ａは、いずれも集光部４に支持されている。図５（Ａ）および図５（Ｂ）を参照すると、集光部４は、ブロック状の本体部４ａを備える。そして、集光部４は、本体部４ａ内に第１光ファイバ保持孔４ｂと第２光ファイバ保持孔４ｃを備えている。第１光ファイバ保持孔４ｂは、本体部４ａの端面に対し直交するように設けられている。一方、第２光ファイバ保持孔４ｃは、第１光ファイバ保持孔４ｂに対して斜めに設けられている。そして、第１光ファイバ保持孔４ｂと第２光ファイバ保持孔４ｃとの合流地点に空隙部４ｄが設けられている。空隙部４ｄは、本体部４ａの前面パネル２ａへの取り付け面に開口する状態で設けられている。
【００２２】
本体部４ａは、周囲の光の影響を排除するために、不透明な材料によって成形されている。本実施形態では、プラスチック材料が用いられているが、材料はこれに限定されるものではない。本体部４ａは、サーバ２の前面パネル２ａに接着される。接着には、接着剤を用いてもよいし、両面テープ等を用いてもよく、その接着手段は限定されない。本体部４ａを前面パネル２ａに接着して装着するようにすることで、サーバ２側に極力手を加えることなく、第１光ファイバ５及び第２光ファイバ１３をサーバに装着することができる。
【００２３】
第１光ファイバ保持孔４ｂは、第１光ファイバ５の一端部５ａがＬＥＤ  Ｌ１〜Ｌ５の発光面３に対向（正対）できるように設けられている。一方、第２光ファイバ保持孔４ｃは、第２光ファイバ１３を通過した確認光が発光面３を照射することができるように設けられている。第２光ファイバ１３の端部は、空隙部４ｄに位置しており、集光部４がサーバ２の前面パネル２ａに正常に取り付けられている場合には、発光面３で反射した確認光を第１光ファイバ５に通過させることができる。なお、発光面３は、鏡面仕上げとなっている等、拡散反射光が起こらないため、第１光ファイバ５と第２光ファイバ１３との角度を鋭角に設定し、正反射光が第１光ファイバ５に戻るようにしている。
【００２４】
以上のように集光部４によって一端部５ａがＬＥＤ  Ｌ１〜Ｌ５の発光面３と対向する第１光ファイバ５の他端部５ｂは、撮影カメラ７と対向している。撮影カメラ７は、第１光ファイバ５の他端部を撮影する。一方、集光部４によって一端部１３ａが支持されている第２光ファイバ１３の他端部１３ｂは、照明１２と対向している。これにより、照明１２が点灯することで発光する確認光は、第２光ファイバ１３を通じてＬＥＤ  Ｌ１〜Ｌ５の発光面３を照射する。集光部４が適切にサーバ２の前面パネル２ａに取り付けられている場合に、監視対象となるＬＥＤ  Ｌ１〜Ｌ５のいずれかが点灯しており、かつ、確認光が点灯しているタイミングでは、監視対象のＬＥＤと確認光の合成光が第１光ファイバ５を通じて撮影カメラ７で撮影される。
【００２５】
図１を参照すると、判定装置１００は、各撮影カメラ７及び照明１２と第１接続ケーブル８で接続されているスイッチングハブ９を備える。また、スイッチングハブ９と第２接続ケーブル１０で接続されている監視制御部１１を備える。監視制御部１１は、制御部として機能する。監視制御部１１は、画像取得部１１ａ、比較部１１ｂ及び指令部１１ｃを備える。スイッチングハブ９は指令部１１ｃの指令に基づいて監視対象となるラック１ａ〜１ｄを切り替えるため、接続先となる光ファイバ集合部６を選択する。
【００２６】
つぎに、図６乃至図１５を参照しつつ、光伝送路脱落判定方法について説明する。図６は光伝送路脱落判定の一例を示すフローチャートである。図７は点灯パターンの一例に沿って確認光の点灯制御を行うフローチャートの一例である。図８は実施例の脱落判定処理の制御の一部を示すフローチャートである。図９は実施例の脱落判定処理の制御の一部を示すフローチャートである。図１０は確認光の点灯パターンの一例を示す説明図である。図１１は撮影工程で撮影された画像を模式的に示す説明図である。図１２（Ａ）〜図１２（Ｄ）は脱落判定処理で抽出され、用いられる画像の選択について示す説明図である。図１３は色度図の一例である。図１４（Ａ）〜図１４（Ｄ）は実施形態における色度の変化を示す説明図である。図１５（Ａ）、図１５（Ｂ）は実施形態における色度の変化を示す説明図である。光伝送路脱落判定は、判定装置１００を用いて実行することができる。
【００２７】
本実施形態では、サーバ２の稼働状態の監視とともに、第１光ファイバ５の脱落、具体的には、集光部４が脱落していないか否かの判定を行う。このような監視動作は、常時実行していなくてもよく、本実施形態では、一時間毎に実行する。
【００２８】
まず、ステップＳ１では、集光部４が脱落しているか否かの判定に用いられる確認光を発光する照明１２の点灯パターンを読み込む。本実施形態では、図１０に示す点灯パターンが設定されている。点灯パターンは、ステータス１〜ステータス５によって構成されている。ステータス１は、時刻ｔ０〜ｔ１までで、この間は、１．０ｓ（秒）に設定されている。ステータス１では、確認光は消灯状態となる。ステータス２は、時刻ｔ１〜ｔ２までで、この間は、１．５ｓ（秒）に設定されている。ステータス２では、確認光は橙色に発光する。ステータス３は、時刻ｔ２〜ｔ３までで、この間は、１．０ｓ（秒）に設定されている。ステータス３では、確認光は消灯状態となる。ステータス４は、時刻ｔ３〜ｔ４までで、この間は、１．５ｓ（秒）に設定されている。ステータス２では、確認光は紫色に発光する。ステータス５は、時刻ｔ４〜ｔ５までで、この間は、１．０ｓ（秒）に設定されている。ステータス５では、確認光は消灯状態となる。このような点灯パターンは、監視対象となっているＬＥＤ  Ｌ１〜Ｌ５の点灯パターンとして採用されることがないパターンとなっている。これにより、確認光の点灯パターンの変化の前後に撮影された画像を分析し、第１光ファイバ５の脱落、すなわち、集光部４の脱落を判定することができる。
【００２９】
ステップＳ１に引き続いて行うステップＳ２では、まず、監視対象となっているＬＥＤ  Ｌ１〜Ｌ５全てについての監視、すなわち、点灯状態の確認が完了したか否かを判断する。このような監視動作は、ＬＥＤ毎に行われる。すなわち、監視対象となるＬＥＤを順次更新し、全てのＬＥＤ  Ｌ１〜Ｌ５について、点灯状態の確認が終了したか否かを判断する。本実施形態では、５個のＬＥＤを備えたサーバ２が２０台設置されているので、１００個全てのＬＥＤについての監視動作が完了した場合に、ステップＳ２において、Ｙｅｓと判断する。ステップＳ２でＹｅｓと判断した場合に、処理は終了となる（Ｅｎｄ）。ステップＳ２において、Ｎｏと判断したときは、ステップＳ３へ進む。
【００３０】
ステップＳ３では、引き続き行われるステップＳ４での脱落判定処理を行うための点灯パターン制御とカメラ撮影を実施する。点灯パターン制御は、照射工程に相当し、カメラ撮影は、撮影工程に相当する。点灯パターン制御とカメラ撮影は、同時進行で実施される。
【００３１】
点灯パターン制御は、図７に示すフローチャートに基づいて実施される。これにより、対象となっているＬＥＤに対し、図１０に示す点灯パターンに則った確認光の照射が実施される。まず、ステップＳ３ａでは、時刻をｔ０にセットし、計時を開始する。ステップＳ３ｂでは、ステータス１の間隔である１．０ｓが経過したか否かを判断する。ステップＳ３ｂでＮｏと判断したときは、ステップＳ３ｂでＹｅｓと判断するまで、その処理を繰り返す。
【００３２】
ステップＳ３ｂでＹｅｓと判断したらステップＳ３ｃへ移行する。すなわち、ステータス２へ移行し、照明１２を橙色に点灯させる。そして、１．５ｓの計時を開始する。ステップＳ３ｄでは、ステータス２の間隔である１．５ｓが経過したか否かを判断する。ステップＳ３ｄでＮｏと判断したときは、ステップＳ３ｄでＹｅｓと判断するまで、その処理を繰り返す。
【００３３】
ステップＳ３ｄでＹｅｓと判断したらステップＳ３ｅへ移行する。すなわち、ステータス３へ移行し、照明１２を消灯させる。そして、１．０ｓの計時を開始する。ステップＳ３ｆでは、ステータス３の間隔である１．０ｓが経過したか否かを判断する。ステップＳ３ｆでＮｏと判断したときは、ステップＳ３ｆでＹｅｓと判断するまで、その処理を繰り返す。
【００３４】
ステップＳ３ｆでＹｅｓと判断したらステップＳ３ｇへ移行する。すなわち、ステータス４へ移行し、照明１２を紫色に点灯させる。そして、１．５ｓの計時を開始する。ステップＳ３ｈでは、ステータス４の間隔である１．５ｓが経過したか否かを判断する。ステップＳ３ｈでＮｏと判断したときは、ステップＳ３ｈでＹｅｓと判断するまで、その処理を繰り返す。
【００３５】
ステップＳ３ｈでＹｅｓと判断したらステップＳ３ｉへ移行する。すなわち、ステータス５へ移行し、照明１２を消灯させる。そして、１．０ｓの計時を開始する。ステップＳ３ｊでは、ステータス５の間隔である１．０ｓが経過したか否かを判断する。ステップＳ３ｊでＮｏと判断したときは、ステップＳ３ｊでＹｅｓと判断するまで、その処理を繰り返す。
【００３６】
ステップＳ３ｊでＹｅｓと判断したらステップＳ３ｋへ移行する。ステップＳ３ｋでは、カメラ撮影を終了し、ステップＳ３ｍで撮影し画像を画像取得部１１ａへ保存する。このように、本実施形態では、確認光を異なるタイミングで異なる２色に発光させている。これは、ＬＥＤ  Ｌ１〜Ｌ５の色度と確認光の色度とが同じであったり似ていたりする場合に、確認光の点灯状態を変化させても、その変化の前後で撮影された画像において色度の変化を確認することが困難であることを考慮したものである。すなわち、確認光の色度として、２色準備しておけば、ＬＥＤ  Ｌ１〜Ｌ５の色度と異なる色度の確認光を照射することができ、撮影された画像において、その変化を捕捉することができるためである。
【００３７】
ここで、点灯パターン制御と同時進行で実施されるカメラ撮影について、説明する。カメラ撮影は、確認光の点灯状態の変化の前後において、それぞれ複数枚の画像を撮影する。すなわち、各ステータスにおいて、それぞれ複数枚の画像を撮影する。具体的に、本実施形態では、１０ｆｐｓ、すなわち、１秒間当たり１０枚の画像（フレーム）を撮影する。本実施形態にあっては、ステータス１〜６が６．０ｓ（秒）であるから、図１１に示すように一連の監視動作においてｆ１〜ｆ６０の６０枚の画像が撮影される。すなわち、ステータス１で１０枚、ステータス２で１５枚、ステータス３で１０枚、ステータス４で１５枚、そして、ステータス５で１０枚の画像が撮影される。なお、図１２における１点鎖線は、撮影タイミングを示している。また、本実施形態では、撮影カメラ７は、ラック１ａ〜１ｄ毎に装備されているため、全２４０枚の画像が撮影されることになる。このように各ステータスにおいて複数枚の画像を撮影することで、監視対象のＬＥＤが点灯、消灯を繰り返す点滅状態にあるときに、点灯状態に合わせた撮影を行うことができる。
【００３８】
図６を参照し、ステップＳ３に引き続いて行われるステップＳ４では、脱落判定処理が実施される。脱落判定処理は、図８及び図９に示すフローチャートに基づいて実施される。なお、このフローチャートは、説明の都合上、図８と図９に分割して示されている。
【００３９】
ステップＳ４ａでは、監視対象ＬＥＤの位置座標データを読み込む。この位置座標データは、予め作成され、監視制御部１１内に格納されている。撮影カメラ７により撮影された画像は、図１１に示すように第１光ファイバ保持部６ａ１を写し出したものとなる。このため、本実施形態にあっては、５×５個のＬＥＤの像が映し出されている。位置座標データは、これらの像の位置を特定する。ここで、位置座標データの作成について、説明する。まず、第１光ファイバ保持部６ａ１に保持されている第１光ファイバ５のそれぞれに対応するＬＥＤ  Ｌ１〜Ｌ５を点灯状態とし、撮影カメラ７で撮影する。そして、撮影された画像データ上で各画素をＲＧＢ値に基づいて輝度計算し、２値化する。２値化した画像から白点として現れる島部分の座標を抽出し、外接矩形枠の左上と右下の座標を求める。これにより、ＬＥＤの像に対応する矩形の領域を特定することができる。このときの左上及び右上のＸ，Ｙ座標が監視対象ＬＥＤの位置座標データとなる。このように、予め監視対象ＬＥＤの位置座標データを作成しておくのは、撮影された画像の全領域を１ピクセルずつ検索すると時間がかかるため、予め探索範囲を規定しておき、作業の短縮化するためである。
【００４０】
ステップＳ４ｂでは、撮影した全ての画像（フレーム）について、輝度最大である画素（ピクセル）とその値を求める。この作業は、全ての監視対象ＬＥＤ  Ｌ１〜Ｌ５に対して行う。図１１を参照すると、最も左側の列は、図１におけるラック１ａの最上段のサーバ２に対応している。すなわち、像ＦＬ１〜ＦＬ５は、ＬＥＤ  Ｌ１〜Ｌ５に対応している。また、外接矩形枠Ｗ１〜Ｗ５は、像ＦＬ１〜ＦＬ５に対応しており、これらの外接矩形枠Ｗ１〜Ｗ５毎に輝度最大の画素を求めるとともに、その値を求める。この作業は、全ての外接矩形枠に対して行われる。輝度最大の画素を抽出するのは、より的確に脱落判定を行うためである。
【００４１】
ステップＳ４ｃでは、各ステータス内の信号強度最大点を求める。そして、監視制御部１１により、信号強度最大点の色度と彩度を取得し、保存する。
【００４２】
図１２を参照すると、図１２（Ａ）は、点灯パターンの一部分を示している。また、１点鎖線は、撮影タイミングを示している。図１２（Ｂ）は、集光部４の脱落がなく、監視対象ＬＥＤが点滅状態である場合の輝度の変化を示している。図１２（Ｂ）では、高い輝度と低い輝度とが繰り返し現れている。そして、確認光が消灯しているステータス１から確認光が点灯しているステータス２へ移行すると、高い輝度の値がさらに高くなっていることがわかる。そして、確認光が消灯しているステータス３へ移行すると、高い輝度の値は、低下する。ステップＳ４ｃでは、このようなステータス毎に信号強度最大点を求める。図１２（Ｂ）の各ステータスに一つずつ付された黒点がそれぞれ信号強度最大点を示している。この抽出された信号強度最大点の情報、具体的には、色度と彩度とが以後の処理で用いられる。このように信号強度最大点を抽出するのは、より的確に脱落判定を行うためである。
【００４３】
図１２（Ｃ）は、集光部４の脱落がなく、監視対象ＬＥＤが点灯状態である場合の輝度の変化を示している。また、図１２（Ｄ）は、集光部４が脱落しており、監視対象ＬＥＤが点灯状態である場合の輝度の変化を示している。これらの場合にも、各ステータス内の信号強度最大点を求める。図１２（Ｃ）、図１２（Ｄ）における黒点は、それぞれ信号強度最大点を示している。なお、集光部４が脱落している場合は、監視対象ＬＥＤが点滅状態であっても、図１２（Ｄ）に示す結果と同様の結果が得られる。
【００４４】
ステップＳ４ｃでは、信号強度最大点の色度と彩度を取得する。ここで、図１３を参照して、色度と彩度について説明する。図１３には、色度図が示されている。色度図では、周方向の位置が変化するに従って、色相が変化する。例えば、図１３に示す色度図では、１２時方向に緑色の領域が設定されており、そこから、時計回りに順に、黄色、赤、青、の領域が広がっており、色相は、徐々に変化する。また、図１３に示す色度図では、径方向の位置によって彩度が表現されている。ステップＳ４ｃでは、色度図において、信号強度最大点の色度と彩度がどの点に位置するのかを定める。
【００４５】
ステップＳ４ｄでは、監視対象ＬＥＤ全ての脱落判定が完了したか否かを判断する。本実施形態におけるステップＳ４ｅ以降の処理は、監視対象ＬＥＤ毎に順次行われるため、これら処理が全ての監視対象ＬＥＤに対して行われたか否かを判断するものである。ステップＳ４ｄでＹｅｓと判断したときは、処理は終了となり（Ｅｎｄ）、図６に示すフローチャートのステップＳ５へ移行する。
【００４６】
ステップＳ４ｄでＮｏと判断したときは、ステップＳ４ｅへ移行する。ステップＳ４ｅでは、脱落判断対象となっている監視対象ＬＥＤのステータス１における彩度が予め定められているしきい値以下であるか否かを判断する。ここで、しきい値は、監視対象ＬＥＤが消灯していると判断することができる値として設定されており、予め行われる実験等によって定められている。ステータス１では、確認光は消灯している。このため、監視対象ＬＥＤが消灯している場合には、彩度がしきい値以下となる。なお、集光部４が脱落している場合にも、第１光ファイバ５を通過する光がないか、又は、集光部４の周囲の光が僅かに第１光ファイバ５を通過して撮影カメラ７によって撮影されるのみであるので、彩度はしきい値以下となる。
【００４７】
ステップＳ４ｅでＮｏと判断したときは、ステップＳ４ｆへ移行する。一方、ステップＳ４ｅでＹｅｓと判断したときは、ステップＳ４ｋへ移行する。これについては、後に説明する。ステップＳ４ｆでは、比較部１１ｂにおいてステータス１の色度とステータス２の色度とが比較され、ステータス２の色度は、ステータス１の色度よりも橙色に近づいたか否かを判断する。例えば、監視対象ＬＥＤが赤色である場合、図１４（Ａ）に示すように、ステータス１とステータス２とを比較した場合に、ステータス２の色度がステータス１の色度と比較して橙色に近づいていたら、集光部４が脱落していないと判定することができる。ステータス２では、橙色の確認光が照射され、集光部４が脱落していなければ、橙色の反射光が合成された状態が撮影されるためである。また、例えば、監視対象ＬＥＤが緑色である場合に、図１４（Ｂ）に示すように、ステータス１とステータス２とを比較した場合に、ステータス２の色度がステータス１の色度と比較して橙色に近づいていたら、集光部４が脱落していないと判定することができる。同様に、監視対象ＬＥＤが青色である場合に、図１４（Ｃ）に示すように、ステータス１とステータス２とを比較した場合に、ステータス２の色度がステータス１の色度と比較して橙色に近づいていたら、集光部４が脱落していないと判定することができる。
【００４８】
一方、例えば、監視対象ＬＥＤが赤色である場合、図１５（Ａ）に示すように、ステータス１とステータス２とを比較して、変化が確認されない場合、図１５（Ｂ）に示すように、橙色から遠ざかる場合は、集光部４が脱落していると判定する。このような判定は、監視対象ＬＥＤが他の色である場合も同様である。このような場合、ステップＳ４ｆでＮｏと判断する。
【００４９】
ステップＳ４ｆでＹｅｓと判断したときは、ステップＳ４ｇへ移行する。ステップＳ４ｇでは、比較部１１ｂにおいてステータス２の色度とステータス３の色度とが比較され、ステータス３の色度は、ステータス２の色度よりも橙色から遠ざかったか否かを判断する。ステータス２とステータス３とを比較した場合に、ステータス３の色度がステータス２の色度と比較して橙色から遠ざかっていたら、集光部４が脱落していないと判定し、Ｙｅｓと判断する。ステータス３では、ステータス２において照射されていた橙色の確認光が消灯され、集光部４が脱落していなければ、橙色の反射光が合成されていない状態が撮影されるためである。一方、ステータス２とステータス３との間で色度の変化が確認されなかったり、橙色に近づく変化が見られたりした場合は、集光部４が脱落している可能性があると判定し、Ｎｏと判断する。ただし、ステップＳ４ｆにおけるＮｏの判断は、集光部４が脱落しているとの最終的な判断ではない。なお、ステップＳ４ｆにおける比較のみであっても、集光部４の脱落を判定することができるが、ステップＳ４ｇの比較を併用することで、より慎重な判定を行うことができる。ステップＳ４ｇにおいてＹｅｓと判断したときは、その監視対象ＬＥＤに対応する集光部４の脱落は生じていないと判断し、次の監視対象ＬＥＤに対する脱落判定を行うべく、ステップＳ４ｄからの処理を行う。
【００５０】
ステップＳ４ｆにおいて、Ｎｏと判断した場合や、ステップＳ４ｇにおいてＮｏと判断した場合は、ステップＳ４ｈへ移行する。ステップＳ４ｈでは、比較部１１ｂにおいてステータス３の色度とステータス４の色度とが比較され、ステータス４の色度は、ステータス３の色度よりも紫色に近づいたか否かを判断する。ステータス３とステータス４とを比較した場合に、ステータス４の色度がステータス３の色度と比較して紫色に近づいていたら、集光部４が脱落していないと判定することができる。ステータス４では、紫色の確認光が照射され、集光部４が脱落していなければ、紫色の反射光が合成された状態が撮影されるためである。
【００５１】
このように、ステータス４において、ステータス２と異なる色度の確認光を照射することで、監視対象ＬＥＤの色が橙色か紫色であった場合であっても的確に集光部４の脱落を判定することができる。例えば、監視対象ＬＥＤの色が橙色か又はこれに近い色である場合、ステップＳ４ｆやステップＳ４ｇの判定の精度が低下すると考えられるが、異なる色度の確認光を用いた判定を行うことで、正確な判定を行うことができる。このように、本実施形態では、確認光を異なるタイミングで異なる２色に発光させることで、判定精度を高めている。
【００５２】
ステップＳ４ｈでＹｅｓと判断したときは、ステップＳ４ｉへ移行する。ステップＳ４ｉでは、比較部１１ｂにおいてステータス４の色度とステータス５の色度とが比較され、ステータス５の色度は、ステータス４の色度よりも紫色から遠ざかったか否かを判断する。ステータス４とステータス５とを比較した場合に、ステータス５の色度がステータス４の色度と比較して紫色から遠ざかっていたら、集光部４が脱落していないと判定することができる。ステータス５では、ステータス４において照射されていた紫色の確認光が消灯され、集光部４が脱落していなければ、紫色の反射光が合成されていない状態が撮影されるためである。なお、ステップＳ４ｈにおける比較のみであっても、集光部４の脱落を判定することができるが、ステップＳ４ｉの比較を併用することで、より慎重な判定を行うことができる。ステップＳ４ｉにおいてＹｅｓと判断したときは、その監視対象ＬＥＤに対応する集光部４の脱落は生じていないと判断し、次の監視対象ＬＥＤに対する脱落判定を行うべく、ステップＳ４ｄからの処理を行う。
【００５３】
一方、ステップＳ４ｈでＮｏと判断した場合や、ステップＳ４ｉでＮｏと判断した場合は、ステップＳ４ｊへ移行し、集光部４が脱落していると判定する。この場合、その警告表示とログ出力を行う。
【００５４】
つぎに、ステップＳ４ｅにおいてＹｅｓと判断した場合について説明する。この場合、ステップＳ４ｋへ移行する。ステップＳ４ｋ以下の処理は、監視対象ＬＥＤが消灯状態であると判断される場合の処理である。監視対象ＬＥＤが消灯状態にある場合は、確認光が消灯状態となるステータス１、ステータス３及びステータス５では、監視対象ＬＥＤの光及び確認光のいずれもが第１光ファイバ５を通過することがない。このため、撮影された画像における色度は不定となる。すなわち、特定の色度を認識することが困難な状況となる。この場合、彩度の変化や確認光を点灯させるステータスへの移行に伴う色度の変化に着目して集光部４の脱落を判定する。
【００５５】
ステップＳ４ｋでは、ステータス２の彩度がしきい値以上であるか否かを判断する。ここで、しきい値は、監視対象ＬＥＤが消灯している状態で確認光を点灯させていると判断することができる値として設定されており、予め行われる実験等によって定められている。ステータス１では、確認光は消灯している。このため、監視対象ＬＥＤが消灯している場合には、彩度は、図１４（Ｄ）に示すように色度図の中心領域２０ａ内に存在する。このような状態のステータス１からステータス２に移行し、確認光が点灯すると、彩度が高まり、この彩度がしきい値以上である場合は、集光部４が脱落していないと判定し、ステップＳ４ｋでＹｅｓと判断する。
【００５６】
ステップＳ４ｋでＹｅｓと判断したときは、ステップＳ４ｍへ移行する。ステップＳ４ｍでは、ステータス２の色度が橙色近傍であるか否かを判断する。監視対象ＬＥＤが消灯した状態でステータス２へ移行すると、橙色の確認光が照射されるため、色度が橙色に近づく。ステータス２への移行に伴って色度が橙色近傍となったことが確認された場合は、集光部４は脱落していないと判断できる。なお、ステップＳ４ｋにおける比較のみであっても、集光部４の脱落を判定することができるが、ステップＳ４ｍの比較を併用することで、より慎重な判定を行うことができる。ステップＳ４ｍにおいてＹｅｓと判断したときは、ステップＳ４ｎにおいてその監視対象ＬＥＤに対応する集光部４の脱落は生じていないと判断し、次の監視対象ＬＥＤに対する脱落判定を行うべく、ステップＳ４ｄからの処理を行う。
【００５７】
一方、ステップＳ４ｋでＮｏと判断した場合や、ステップＳ４ｍでＮｏと判断した場合は、ステップＳ４ｏにおいて、その監視対象ＬＥＤに対応する集光部４は脱落していると判断する。そして、ステップＳ４ｊへ移行し、集光部４が脱落していると判定する。この場合、その警告表示とログ出力を行う。
【００５８】
以上が、図６に示すフローチャートのステップＳ４における脱落判定の概要である。ステップＳ４ｄでＹｅｓと判定した場合は、ステップＳ５へ移行する。ステップＳ５では、ＬＥＤ監視を実施する。すなわち、監視対象となっているＬＥＤ  Ｌ１〜Ｌ５の点灯状態に基づいてサーバ２の稼働状況を分析する。
【００５９】
以上説明した判定装置１００及び光伝送路脱落判定方法によれば、サーバ２等の電子機器の稼働状況を示す発光部を監視するための光伝送路（集光部４及び第１光ファイバ５）の脱落を検出することができる。
【００６０】
また、確認光の点灯状態の変化前後の画像を比較するため、外来光の影響を排除した判定をすることができ、誤判定を抑制することができる。さらに、例えば、光伝センサ等の高価な部品を用いることなく判定することができるため、コスト面で有利である。
【００６１】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００６２】
１ａ〜１ｄ  ラック
２  監視対象装置（サーバ）
２ａ  前面パネル
２ａ１  稼働状況表示部
Ｌ１〜Ｌ５  ＬＥＤ
３  発光面
４  集光部
４ｄ  空隙部
５  第１光ファイバ
５ａ  第１端部
５ｂ  第２端部
６  光ファイバ集合部
６ａ  前面パネル
６ａ１  第１光ファイバ保持部
６ａ２  第２光ファイバ保持部
７  撮影カメラ
１１  監視制御部
１２  照明
１３  第２光ファイバ
１００  光伝送路脱落判定装置
【図１】
2017207404.tif 000003
【図２】
2017207404.tif 000004
【図３】
2017207404.tif 000005
【図４】
2017207404.tif 000006
【図５】
2017207404.tif 000007
【図６】
2017207404.tif 000008
【図７】
2017207404.tif 000009
【図８】
2017207404.tif 000010
【図９】
2017207404.tif 000011
【図１０】
2017207404.tif 000012
【図１１】
2017207404.tif 000013
【図１２】
2017207404.tif 000014
【図１３】
2017207404.tif 000015
【図１４】
2017207404.tif 000016
【図１５】
2017207404.tif 000017